(57)【要約】【課題】  旋回軸に固定される取付金具が組立時に障害とならないような折りたたみ式電子機器を提供する。【解決手段】  操作部１１を設けた本体部１０と、表示部２１を設けた開閉部２０とを開閉自在に枢着する回動軸３３と、この回動軸３３にほぼ直交して設けられ上記開閉部２０を上記本体部１０に対して旋回自在に支承する旋回軸３４とを有する折りたたみ式電子機器において、上記開閉部２０に上記旋回軸３４との結合部となる取付金具３８を設けると共に、上記取付金具３８と上記旋回軸３４とを着脱可能に結合した構成とする。【選択図】図２
2006125493.tif 000002
【特許請求の範囲】
【請求項１】
操作部を設けた本体部と、表示部を設けた開閉部とを開閉自在に枢着する回動軸と、この回動軸にほぼ直交して設けられ上記開閉部を上記本体部に対して旋回自在に支承する旋回軸とを有する折りたたみ式電子機器において、上記開閉部に上記旋回軸との結合部となる取付金具を設けると共に、上記取付金具と上記旋回軸とを着脱可能に結合したことを特徴とする折りたたみ式電子機器。
【請求項２】
上記取付金具と上記旋回軸とをねじによって固定したことを特徴とする請求項１記載の折りたたみ式電子機器。
【請求項３】
上記旋回軸の端面に雌ねじを形成すると共に、上記取付金具を貫通させた雄ねじを上記雌ねじに螺合させることにより上記取付金具と旋回軸とを固定することを特徴とする請求項２記載の折りたたみ式電子機器。
【請求項４】
上記旋回軸にその端面から突出する雄ねじを設けると共に、上記取付金具に形成した孔を上記雄ねじに嵌合し、上記雄ねじにナットを螺合することにより上記取付金具と旋回軸とを固定することを特徴とする請求項２記載の折りたたみ式電子機器。
【発明の詳細な説明】
【技術分野】
【０００１】
この発明は、折りたたみ式電子機器、例えば携帯電話機のように、本体部と開閉部とが折りたたみ式に開閉し得るようにされると共に、開閉部が本体部に対して旋回可能とされた構成を有する折りたたみ式電子機器に関するものである。
【背景技術】
【０００２】
従来の折りたたみ式電子機器、例えば携帯電話機は、数字キーやファンクションキーを配列した操作部を設けた本体部と、この操作部のキー操作等により所定の表示がなされる液晶パネルなどの表示部を設けた開閉部とを回動軸によって開閉自在に枢着すると共に、回動軸にほぼ直交するように突設され上記開閉部を上記本体部に対して旋回自在に支承する旋回軸が設けられている。
【０００３】
また、旋回軸と開閉部との結合のために取付金具が設けられ、この取付金具を上記旋回軸の先端部にカシメ固定する一方、開閉部の端部にねじ等によって固定するようにしていた。（例えば特許文献１参照）。
【０００４】
【特許文献１】特開２００２−３１０１３４号公報
【発明の開示】
【発明が解決しようとする課題】
【０００５】
従来の折りたたみ式電子機器は上記のように構成され、旋回軸と開閉部とを結合するための取付金具が旋回軸にカシメ固定されていて取り外しできなかったため、電子機器の組立に際して、本体部のケース部に旋回軸付きの回動軸を固定した後、本体部の蓋部を上記ケース部に装着する際、上記蓋部が上記取付金具に当接してそのままの状態では装着することができないことから、上記本体部側に上記取付金具を通すための通し孔あるいは切り欠きを形成する必要が生じ、そのため本体部の筐体剛性の低下を招くことになる他、電子機器の小型化への障害になるなどの問題点があった。
【０００６】
この発明は、上記のような問題点を解消するためになされたもので、旋回軸に固定される取付金具が組立時に障害とならないようにした折りたたみ式電子機器を提供することを目的とする。
【課題を解決するための手段】
【０００７】
この発明に係る折りたたみ式電子機器は、操作部を設けた本体部と、表示部を設けた開閉部とを開閉自在に枢着する回動軸と、この回動軸にほぼ直交して設けられ上記開閉部を上記本体部に対して旋回自在に支承する旋回軸とを有する折りたたみ式電子機器において、上記開閉部に上記旋回軸との結合部となる取付金具を設けると共に、上記取付金具と上記旋回軸とを着脱可能に結合したものである。
【発明の効果】
【０００８】
この発明に係る折りたたみ式電子機器は上記のように構成され、旋回軸と取付金具とを着脱可能に結合しているため、電子機器の組立時には取付金具を旋回軸から取り外すことにより、本体部と回動軸とを容易に組み立てることができ、本体側に通し孔や切り欠きを形成する必要がない。従って、筐体剛性の低下を防ぐことが出来ると共に、組立作業性を改善することができ、小型化への障害になることもない。
【発明を実施するための最良の形態】
【０００９】
実施の形態１．
以下、この発明の実施の形態１を図にもとづいて説明する。図１は、折りたたみ式電子機器の一例として携帯電話機の概略構成を示す斜視図、図２は、図１の携帯電話機において本体部と開閉部とを開閉自在に枢着する回動軸と、これに設けられた旋回軸との構成を示す斜視図である。
【００１０】
携帯電話機１は、数字やファンクションキーを配列した操作部１１を設けた本体部１０と、上記操作部１１のキー操作等によって所定の表示がなされる液晶パネルなどの表示部２１を設けた開閉部２０と、本体部１０及び開閉部２０を開閉自在に枢着する枢着部３０とから構成されている。
【００１１】
図２は、枢着部３０の詳細構成を示す斜視図で、一対のブラケット３１間に、回転可能に支承された回動軸３２と、回動軸の中央部に形成された四角断面の回動体３３と、回動体３３の一面にほぼ垂直方向に突設され、回動体３３に対して旋回し得るようにされた旋回軸３４と、旋回軸３４の端面に形成された非円形の突出部３５と、突出部３５に形成された雌ねじ部３６と、突出部３５に嵌合する突出部と同形状の孔３７を有し、表示部２１の取付部となる取付金具３８と、孔３７が突出部３５に嵌合された状態で雌ねじ部３６に螺合され、取付金具３８を旋回軸３４に固定する雄ねじ部３９とから構成されている。
【００１２】
雄ねじ部３９で固定する場合、ねじの緩みが問題であるため、突出部３５と孔３７による嵌合は、ねじの緩みによっても取付金具３８と旋回軸３４との固定状態を保持するためのものである。
【００１３】
なお、取付金具３８には２個所の折曲部３８Ａと、この折曲部に形成された孔３８Ｂとが設けられ、上記折曲部３８Ａを後述するように、開閉部２０の端部に当接すると共に、孔３８Ｂに挿通される適宜のねじ４４によって取付金具３８を開閉部２０に固定するようになっている。
【００１４】
また、ブラケット３１には折曲部３１Ａと、この折曲部に形成された孔３１Ｂとが設けられ、上記折曲部３１Ａを後述するように、本体部１０の内側に配設し、孔３１Ｂに挿通される適宜のねじによってブラケット３１を本体部１０に固定するようになっている。
【００１５】
次に、本体部１０と開閉部２０と枢着部３０との組立手順を図３に示す分解斜視図にもとづいて説明する。図３の左側は本体部１０の分解斜視図を示すものであり、図３の右側は開閉部２０の分解斜視図を示すものである。
【００１６】
先ず、本体部１０のケース部１０Ａの一端部に枢着部３０から雄ねじ部３９を緩めて取付金具３８を取り外した状態でブラケット３１の折曲部３１Ａを図示のように収納し、ねじ止めする。
【００１７】
次いで、ケース部１０Ａ内に基板１０Ｂ及びその上に配設されるボタン基板１０Ｃをそれぞれ収納し、基板１０Ｂから引き出されたフレキシブル配線基板４０を枢着部３０の所定の位置に巻き付けた後、蓋部１０Ｄをかぶせ、枢着部３０の回動体３３と旋回軸３４とを上カバー４１と下カバー４２とで覆った後、ケース部１０Ａ、基板１０Ｂ、ボタン基板１０Ｃ、蓋部１０Ｄに跨る４本のねじ４３をケース部１０Ａの下方から螺合して全体を固定し、本体部１０を形成する。
【００１８】
次に、枢着部３０の旋回軸３４の先端の突出部３５に取付金具３８の孔３７を嵌合し、雄ねじ部３９を雌ねじ部３６に螺合して取付金具３８を旋回軸３４に固定する。
【００１９】
その後、開閉部２０の組立に移り、取付金具３８の折曲部３８Ａを表示部２１を有する基板２０Ｂの端部上面に当接した状態でケース部２０Ａに収納し、ねじ４４によって基板２０Ｂとケース部２０Ａとを結合する。
【００２０】
その上に蓋板２０Ｃを重ね合わせ、４本のねじ４５によって蓋板２０Ｃとケース部２０Ａとを固定することにより開閉部２０を形成する。
【００２１】
この状態では、開閉部２０は枢着部３０を介して本体部１０に対して図１の矢印Ａで示すように開閉できると共に、開閉部２０は旋回軸３４に固定されているため、開いた状態で図１の矢印Ｂで示すように表側と裏側とを逆転させ表示部２１が表側となるように180度の旋回が可能となる。
【００２２】
実施の形態２．
次に、この発明の実施の形態２を図にもとづいて説明する。図４は、実施の形態２における枢着部３０の構成を示す斜視図である。この図において、図２と同一または相当部分には同一符号を付して説明を省略する。
【００２３】
図２と異なる点は、旋回軸３４の先端の突出部３５から更に突出する雄ねじ部４６を設け、取付金具３８の孔３７を突出部３５に嵌合した状態でナット４７を雄ねじ部４６に螺合し、取付金具３８を旋回軸３４に固定するようにした点である。
このような構成とすることにより、実施の形態１と同様な作用効果を期待することができる。
【図面の簡単な説明】
【００２４】
【図１】折りたたみ式電子機器の一例として携帯電話機の概略構成を示す斜視図である。
【図２】この発明の実施の形態１における枢着部の詳細構成を示す斜視図である。
【図３】実施の形態１の本体部と開閉部と枢着部との組立手順を示す分解斜視図である。
【図４】この発明の実施の形態２における枢着部の構成を示す斜視図である。
【符号の説明】
【００２５】
１  携帯電話機、  １０  本体部、  １０Ａ  ケース部、  １０Ｂ  基板、
１０Ｃ  ボタン基板、  １０Ｄ  蓋部、  １１  操作部、  ２０  開閉部、
２０Ａ  ケース部、  ２０Ｂ  基板、  ２０Ｃ  蓋板、  ２１  表示部、
３０  枢着部、  ３１  ブラケット、  ３２  回動軸、  ３３  回動体、
３４  旋回軸、  ３５  突出部、  ３６  雌ねじ部、  ３７  孔、  ３８  取付金具、
３９  雄ねじ部、  ４０  フレキシブル配線基板、  ４６  雄ねじ部、
４７  ナット。
【図１】
2006125493.tif 000003
【図２】
2006125493.tif 000004
【図３】
2006125493.tif 000005
【図４】
2006125493.tif 000006